【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
複数のアンテナと、
前記複数のアンテナを介して、複数のキャリアを使用した信号を送信する送信部と、
前記複数のアンテナのそれぞれに対応し、かつ前記送信部から所定の期間で送信すべき複数の既知信号をそれぞれ記憶する記憶部とを備え、
前記記憶部に記憶した複数の既知信号のうち、前記複数のアンテナのうちのひとつに対応した既知信号は、前記複数のアンテナのうちの他のアンテナに対応した既知信号に対して、既知信号の少なくとも一部が異なったキャリアを使用することを特徴とする送信装置。
【請求項２】
前記記憶部に記憶した複数の既知信号のうち、前記複数のアンテナのうちのひとつに対応した既知信号の自己相関特性が、前記複数のアンテナのうちの他のアンテナに対応した既知信号の自己相関特性よりも高くなるように規定されていること特徴とする請求項１に記載の送信装置。
【請求項３】
前記複数のアンテナの数は、３以上であり、
前記記憶部に記憶した複数の既知信号のうち、前記複数のアンテナのうちのひとつに対応した既知信号と前記複数のアンテナのうちの他のアンテナに対応した残りの既知信号のそれぞれとの間の相互相関特性が、前記他のアンテナに対応した残りの既知信号のそれぞれの間の相互相関特性よりも低くなるように規定されていることを特徴とする請求項２に記載の送信装置。
【請求項４】
前記記憶部に記憶した複数の既知信号は、前記送信部から送信されるべき複数のキャリアの中で、前記複数のアンテナのうちのひとつに対応した既知信号だけに使用されたキャリアの数を第１値とし、前記複数のアンテナのうちの他のアンテナに対応した既知信号だけに使用されたキャリアの数を第２値とした場合に、前記第１値が前記第２値よりも大きくなるように規定されていることを特徴とする請求項１に記載の送信装置。
【請求項５】
前記複数のアンテナの数は、３以上であり、
前記記憶部に記憶した複数の既知信号に対して、前記第２値は、前記他のアンテナのうちのひとつに対応した既知信号だけに使用されたキャリアの数とすることを特徴とする請求項４に記載の送信装置。
【請求項６】
前記記憶部に記憶した複数の既知信号に対して、前記第２値がゼロであることを特徴とする請求項５に記載の送信装置。
【請求項７】
前記記憶部に記憶した複数の既知信号のそれぞれは、互いに異なったキャリアを使用することを特徴とする請求項１に記載の送信装置。
【請求項８】
前記記憶部に記憶した複数の既知信号のそれぞれは、複数のキャリアの中から離散的に選択された所定数のキャリアを使用していることを特徴とする請求項１に記載の送信装置。
【請求項９】
前記記憶部に記憶した複数の既知信号のそれぞれは、前記離散的に選択された所定数のキャリアのうち、最も周波数の高いキャリアと最も周波数の低いキャリアとの周波数の差が互いに等しくなるように規定されていることを特徴とする請求項８に記載の送信装置。
【請求項１０】
前記記憶部に記憶した複数の既知信号のそれぞれは、互いに異なったキャリアを使用することを特徴とする請求項８または９に記載の送信装置。
【請求項１１】
前記記憶部に記憶した複数の既知信号は、当該既知信号のそれぞれに使用されるべきキャリアの数が等しくなるように規定されていることを特徴とする請求項１から１０のいずれかに記載の送信装置。
【請求項１２】
前記記憶部に記憶した複数の既知信号のうち、前記複数のアンテナのうちのひとつに対応した既知信号に使用されるべきキャリアの数が、前記複数のアンテナのうちの他のアンテナに対応した既知信号に使用されるべきキャリアの数より多いことを特徴とする請求項１から１０のいずれかに記載の送信装置。
【請求項１３】
前記記憶部に記憶した複数の既知信号に使用される複数のキャリアは、前記送信部から送信されるべき複数のキャリアの中の一部に予め規定されており、前記記憶部に記憶した複数の既知信号は、当該予め規定された複数のキャリアの中から選択した少なくともひとつのキャリアを使用することを特徴とする請求項１から１２のいずれかに記載の送信装置。
【請求項１４】
前記記憶部に記憶した複数の既知信号は、前記複数のアンテナのうちのひとつに対応した既知信号の波形の同相成分の値が、前記複数のアンテナのうちの他のアンテナに対応した既知信号の波形の直交成分の値に等しく、かつ前記複数のアンテナのうちのひとつに対応した既知信号の波形の直交成分の値が、前記複数のアンテナのうちの他のアンテナに対応した既知信号の波形の同相成分の値に等しくなるように規定されていることを特徴とする請求項１に記載の送信装置。
【請求項１５】
前記複数のアンテナのうち、信号を送信すべきアンテナの数を決定する決定部とをさらに備え、
前記送信部は、前記決定したアンテナの数に応じたアンテナを介して信号を送信し、
前記記憶部は、信号を送信すべきアンテナのうちのひとつを主アンテナとし、残りを副アンテナとした場合に、前記主アンテナに対応した既知信号だけに使用されるキャリアの数が、前記副アンテナのひとつに対応した既知信号だけに使用されるキャリアの数以上になるように、前記記憶した複数の既知信号を規定し、かつ前記主アンテナに対応した既知信号は、前記決定したアンテナの数にかかわらず使用すべき複数のキャリアが同一にされつつ、前記決定したアンテナの数に応じて異なった既知信号の値によって規定されていることを特徴とする請求項１に記載の送信装置。
【請求項１６】
前記記憶部に記憶した複数の既知信号のうち、前記主アンテナに対応した既知信号と前記副アンテナに対応した既知信号は、互いに異なったキャリアを使用することを特徴とする請求項１５に記載の送信装置。
【請求項１７】
前記記憶部に記憶した複数の既知信号のうち、前記主アンテナに対応した既知信号は、信号を送信すべきアンテナの数が異なる場合に、前記主アンテナに対応した既知信号間の相互相関特性を小さくする値によって規定されていることを特徴とする請求項１５または１６に記載の送信装置。
【請求項１８】
前記記憶部に記憶した複数の既知信号のうち、前記主アンテナに対応した既知信号は時間領域において同相成分と直交成分を有しており、かつ信号を送信すべきアンテナの２種類の数に対して、１種類目の既知信号の時間領域における同相成分の値が２種類目の既知信号の時間領域における直交成分の値に等しく、１種類目の既知信号の時間領域における直交成分の値が２種類目の既知信号の時間領域における同相成分の値に等しくなるように規定されていることを特徴とする請求項１５から１７のいずれかに記載の送信装置。
【請求項１９】
前記記憶部に記憶した複数の既知信号のうち、前記主アンテナに対応した既知信号は時間領域において同相成分と直交成分を有しており、かつ信号を送信すべきアンテナの２種類の数に対して、１種類目の既知信号の時間領域における同相成分の絶対値が２種類目の既知信号の時間領域における直交成分の絶対値に等しく、さらに符号が反転し、１種類目の既知信号の時間領域における直交成分の絶対値が２種類目の既知信号の時間領域における同相成分の絶対値に等しく、さらに符号が反転するように規定されていることを特徴とする請求項１５から１７のいずれかに記載の送信装置。
【請求項２０】
前記記憶部に記憶した複数の既知信号のうち、前記副アンテナに対応した既知信号は、互いに相互相関特性を小さくする値によって規定されていることを特徴とする請求項１５から１９のいずれかに記載の送信装置。
【請求項２１】
前記記憶部に記憶した複数の既知信号のうち、前記主アンテナに対応した既知信号と前記副アンテナに対応した既知信号にそれぞれ使用すべき複数のキャリアは、ひとつのアンテナから既知信号を送信する場合に使用される複数のキャリアのいずれかに対応するように規定されていることを特徴とする請求項１５から２０のいずれかに記載の送信装置。
【請求項２２】
複数のアンテナから複数のキャリアを使用した信号を送信する場合のうち、所定の期間にわたって前記複数のアンテナにそれぞれ対応した複数の既知信号を送信しており、前記複数のアンテナのうちのひとつから送信される既知信号は、前記複数のアンテナのうちの他のアンテナから送信される既知信号に対して、既知信号の少なくとも一部が異なったキャリアを使用することを特徴とする送信方法。
【請求項２３】
複数のアンテナにそれぞれ対応した複数の既知信号を記憶したメモリから複数の既知信号を取得するステップと、
取得した複数の既知信号を所定の期間に含ませながら、複数のアンテナから複数のキャリアが使用された信号を無線ネットワークへ送信するステップとを備え、
前記取得するステップでのメモリに記憶された複数の既知信号のうち、前記複数のアンテナのうちのひとつに対応した既知信号は、前記複数のアンテナのうちの他のアンテナに対応した既知信号に対して、既知信号の少なくとも一部が異なったキャリアを使用することをコンピュータに実行させるためのプログラム。
【請求項２４】
送信側の複数のアンテナのうち、ひとつを主アンテナとし、残りを副アンテナとした場合に、前記送信側の複数のアンテナからそれぞれ送信された複数の信号を受信する受信部と、
前記受信した信号から、前記主アンテナから送信された信号に含まれた既知信号を検出する検出部と、
前記検出した既知信号の値に応じて、送信側の主アンテナと副アンテナを含んだ複数のアンテナのうちで信号を送信しているアンテナの数を推定する推定部と、
前記推定したアンテナの数に応じて、前記受信した信号を処理する処理部とを備え、
前記受信部で受信すべき送信側の複数のアンテナからそれぞれ送信された複数の信号のうち、主アンテナから送信された信号に含まれた既知信号は、信号を送信しているアンテナの数に応じて異なった値で規定されており、
前記推定部は、主アンテナから送信された信号に含まれた既知信号の値と信号を送信しているアンテナの数の関係を予め記憶しており、当該関係に前記検出した既知信号の値を対応させて、前記信号を送信しているアンテナの数を推定することを特徴とする受信装置。
【請求項２５】
前記受信部で受信すべき送信側の複数のアンテナからそれぞれ送信された複数の信号のうち、主アンテナから送信されるべき既知信号と副アンテナから送信されるべき既知信号にそれぞれ使用すべき複数のキャリアは、ひとつのアンテナから既知信号を送信する場合に使用される複数のキャリアのいずれかに対応するように規定されており、かつ主アンテナから送信されるべき既知信号は、信号を送信しているアンテナの数にかかわらず複数の同一のキャリアを使用し、
前記検出部は、前記主アンテナから送信される既知信号に使用される複数のキャリアを対象として、前記主アンテナから送信された信号に含まれた既知信号あるいはひとつのアンテナから送信される場合の既知信号を検出することを特徴とする請求項２４に記載の受信装置。
【請求項２６】
送信側の複数のアンテナのうち、ひとつを主アンテナとし、残りを副アンテナとした場合であって、かつ主アンテナから送信される信号に含まれる既知信号が信号を送信しているアンテナの数に応じて異なった値で規定されている場合に、前記送信側の複数のアンテナからそれぞれ送信された複数の信号を受信し、前記受信した信号から、前記主アンテナから送信された信号に含まれた既知信号を検出し、前記検出した既知信号の値に応じて、送信側の主アンテナと副アンテナを含んだアンテナのうちで信号を送信しているアンテナの数を推定することを特徴とする受信方法。
【請求項２７】
送信側の複数のアンテナのうち、ひとつを主アンテナとし、残りを副アンテナとした場合に、前記送信側の複数のアンテナからそれぞれ送信された複数の信号を無線ネットワークを介して受信するステップと、
前記受信した信号から、前記主アンテナから送信された信号に含まれた既知信号を検出してメモリに記憶するステップと、
前記記憶した既知信号の値に応じて、送信側の主アンテナと副アンテナを含んだ複数のアンテナのうちで信号を送信しているアンテナの数を推定するステップと、
前記推定したアンテナの数に応じて、前記受信した信号を処理するステップとを備え、
前記受信するステップで受信すべき送信側の複数のアンテナからそれぞれ送信された複数の信号のうち、主アンテナから送信された信号に含まれた既知信号は、信号を送信しているアンテナの数に応じて異なった値で規定されており、
前記推定するステップは、主アンテナから送信された信号に含まれた既知信号の値と信号を送信しているアンテナの数の関係を予めメモリに記憶しており、当該メモリに記憶した関係に前記記憶した既知信号の値を対応させて、前記信号を送信しているアンテナの数を推定することをコンピュータに実行させるためのプログラム。
【請求項２８】
複数のアンテナを有した送信装置と、
前記送信装置から送信された信号を複数のアンテナで受信する受信装置とを備え、
前記送信装置は、
前記複数のアンテナを介して、複数のキャリアを使用した信号を送信する送信部と、
前記複数のアンテナのそれぞれに対応し、かつ前記送信部から所定の期間で送信すべき複数の既知信号をそれぞれ記憶する記憶部とを含み、
前記記憶部に記憶した複数の既知信号のうち、前記複数のアンテナのうちのひとつに対応した既知信号は、前記複数のアンテナのうちの他のアンテナに対応した既知信号に対して、既知信号の少なくとも一部が異なったキャリアを使用することを特徴とする通信システム。
【請求項２９】
前記記憶部に記憶した複数の既知信号では、前記複数のアンテナのうちのひとつに対応した既知信号の波形の同相成分の絶対値が、前記複数のアンテナのうちの他のアンテナに対応した既知信号の波形の直交成分の絶対値に等しく、さらに符号が反転し、前記複数のアンテナのうちのひとつに対応した既知信号の波形の直交成分の絶対値が、前記複数のアンテナのうちの他のアンテナに対応した既知信号の波形の同相成分の絶対値に等しく、さらに符号が反転するように規定されていることを特徴とする請求項１に記載の送信装置。
【請求項３０】
複数の系列の信号を出力する出力部と、
前記複数の系列の信号のそれぞれに対応した複数の既知信号であって、かつ前記複数の系列の信号のそれぞれのうち、所定の期間に含まれる複数の既知信号をそれぞれ記憶する記憶部とを備え、
前記出力部から出力される複数の系列の信号は、複数のキャリアをそれぞれ使用しており、
前記記憶部に記憶した複数の既知信号のうち、前記複数の系列の信号のうちのひとつに対応した既知信号は、前記複数の系列の信号のうちの他の系列の信号に対応した既知信号に対して、少なくとも一部が異なったキャリアを使用することを特徴とする送信装置。
【請求項３１】
前記記憶部に記憶した複数の既知信号のうち、前記複数の系列の信号のうちのひとつに対応した既知信号の自己相関特性が、前記複数の系列の信号のうちの他の系列の信号に対応した既知信号の自己相関特性よりも高くなるように規定されていること特徴とする請求項３０に記載の送信装置。
【請求項３２】
前記記憶部に記憶した複数の既知信号のそれぞれは、互いに異なったキャリアを使用することを特徴とする請求項３０に記載の送信装置。
【請求項３３】
前記記憶部に記憶した複数の既知信号のそれぞれは、複数のキャリアの中から離散的に選択された所定数のキャリアを使用していることを特徴とする請求項３０に記載の送信装置。
【請求項３４】
前記記憶部に記憶した複数の既知信号のそれぞれでは、前記離散的に選択された所定数のキャリアのうち、最も周波数の高いキャリアと最も周波数の低いキャリアとの周波数の差が互いに等しくなるように規定されていることを特徴とする請求項３３に記載の送信装置。
【請求項３５】
前記記憶部に記憶した複数の既知信号のそれぞれは、互いに異なったキャリアを使用することを特徴とする請求項３３または３４に記載の送信装置。
【請求項３６】
前記記憶部に記憶した複数の既知信号では、当該既知信号のそれぞれに使用されるべきキャリアの数が等しくなるように規定されていることを特徴とする請求項３０から３５のいずれかに記載の送信装置。
【請求項３７】
前記記憶部に記憶した複数の既知信号のうち、前記複数の系列の信号のうちのひとつに対応した既知信号に使用されるべきキャリアの数が、前記複数の系列の信号のうちの他の系列に対応した既知信号に使用されるべきキャリアの数より多いことを特徴とする請求項３０から３５のいずれかに記載の送信装置。
【請求項３８】
前記記憶部に記憶した複数の既知信号に使用される複数のキャリアは、前記出力部から出力されるべき複数のキャリアの中の一部に予め規定されており、前記記憶部に記憶した複数の既知信号は、当該予め規定された複数のキャリアの中から選択した少なくともひとつのキャリアを使用することを特徴とする請求項３０から３７のいずれかに記載の送信装置。
【請求項３９】
前記記憶部に記憶した複数の既知信号では、前記複数の系列の信号のうちのひとつに対応した既知信号の波形の同相成分の値が、前記複数の系列の信号のうちの他の系列の信号に対応した既知信号の波形の直交成分の値に等しく、かつ前記複数の系列の信号のうちのひとつに対応した既知信号の波形の直交成分の値が、前記複数の系列の信号のうちの他の系列の信号に対応した既知信号の波形の同相成分の値に等しくなるように規定されていることを特徴とする請求項３０に記載の送信装置。
【請求項４０】
前記記憶部に記憶した複数の既知信号では、前記複数の系列の信号のうちのひとつに対応した既知信号の波形の同相成分の絶対値が、前記複数の系列の信号のうちの他の系列の信号に対応した既知信号の波形の直交成分の絶対値に等しく、さらに符号が反転し、前記複数の系列の信号のうちのひとつに対応した既知信号の波形の直交成分の絶対値が、前記複数の系列の信号のうちの他の系列の信号に対応した既知信号の波形の同相成分の絶対値に等しく、さらに符号が反転するように規定されていることを特徴とする請求項３０に記載の送信装置。
【請求項４１】
複数の系列の信号のそれぞれに対応した複数の既知信号が記憶されたメモリから複数の既知信号を取得し、取得した複数の既知信号を所定の期間に含ませながら、複数の系列の信号を出力する送信方法であって、
出力される複数の系列の信号は、複数のキャリアをそれぞれ使用しており、記憶された複数の既知信号のうち、前記複数の系列の信号のうちのひとつに対応した既知信号は、前記複数の系列の信号のうちの他の系列の信号に対応した既知信号に対して、少なくとも一部が異なったキャリアを使用することを特徴とする送信方法。
【請求項４２】
複数の系列の信号のそれぞれに対応した複数の既知信号をそれぞれ記憶したメモリから複数の既知信号を取得するステップと、
取得した複数の既知信号を所定の期間に含ませながら、複数の系列の信号を出力するステップとを備え、
前記出力するステップにおいて出力される複数の系列の信号は、複数のキャリアをそれぞれ使用しており、
前記取得するステップでのメモリに記憶された複数の既知信号のうち、前記複数の系列の信号のうちのひとつに対応した既知信号は、前記複数の系列の信号のうちの他の系列の信号に対応した既知信号に対して、少なくとも一部が異なったキャリアを使用することをコンピュータに実行させるためのプログラム。
【請求項４３】
複数のアンテナと、
前記複数のアンテナを介して、複数のキャリアを使用した信号を送信する送信部と、
前記複数のアンテナのそれぞれに対応し、かつ前記送信部から所定の期間で送信すべき複数の既知信号を記憶する記憶部とを備え、
前記記憶部に記憶した複数の既知信号のうち、前記複数のアンテナのうちのひとつに対応した既知信号では、前記複数のアンテナのうちの他のアンテナに対応した既知信号との間の相互相関値が自己相関値よりも小さくなるように規定されていることを特徴とする送信装置。
【請求項４４】
前記複数のアンテナの数は、２であり、
前記記憶部に記憶した複数の既知信号間の相互相関値は、ゼロであることを特徴とする請求項４３に記載の送信装置。
【請求項４５】
複数の系列の信号を出力する出力部と、
前記複数の系列の信号のそれぞれに対応した複数の既知信号であって、かつ前記複数の系列の信号のそれぞれのうち、所定の期間に含まれる複数の既知信号を記憶する記憶部とを備え、
前記出力部から出力される複数の系列の信号は、複数のキャリアをそれぞれ使用しており、
前記記憶部に記憶した複数の既知信号のうち、前記複数の系列の信号のうちのひとつに対応した既知信号では、前記複数の系列の信号のうちの他の系列の信号に対応した既知信号との間の相互相関値が自己相関値よりも小さくなるように規定されていることを特徴とする送信装置。
【請求項４６】
前記出力部から出力される複数の系列の信号の数は、２であり、
前記記憶部に記憶した複数の既知信号間の相互相関値は、ゼロであることを特徴とする請求項４５に記載の送信装置。